(57)【要約】  本発明は、光システムを有する自転車であって、自転車は、チューブ壁を有する相互に固定されたチューブ要素と、ステアリングピンおよびハンドルバーなどの可動チューブ要素とを有するフレームを含むチューブアセンブリと、光の発生のための独立して制御可能な少なくとも１つの光源を含む光発生サブシステムと、少なくとも１つの光効果の提供のための光発生サブシステムの制御のための光制御装置と、少なくとも１つの光源と自転車の周囲との間の経路の一部にわたる光の誘導のための光誘導サブシステムとを含み、少なくとも１つの光源は、少なくとも１つのチューブ要素のうちの少なくとも１つに配置され、自転車はさらに、チューブ壁を通る光の通過のための少なくとも１つのチューブ要素における少なくとも１つの開口を含み、光誘導サブシステムは、フレームのそれぞれの少なくとも１つのチューブ要素の内側から少なくとも１つのチューブ要素の外側への誘導を提供する、自転車に関する。
2021522098.tif 000002
【特許請求の範囲】
【請求項１】
光システムを有する自転車であって、前記自転車は、
−  チューブ壁を有する相互に固定されたチューブ要素と、ステアリングピンおよびハンドルバーなどの可動チューブ要素とを有するフレームを含むチューブアセンブリと、
−  光の発生のための独立して制御可能な少なくとも１つの光源を含む光発生サブシステムと、
−  少なくとも１つの光効果の提供のための前記光発生サブシステムの制御のための光制御装置と、
−  前記少なくとも１つの光源と前記自転車の周囲との間の前記経路の一部にわたる光の誘導のための光誘導サブシステムとを含み、
−  前記少なくとも１つの光源は、少なくとも１つの前記チューブ要素のうちの少なくとも１つに配置され、前記自転車はさらに、
−  前記チューブ壁を通る前記光の通過のための少なくとも１つのチューブ要素における少なくとも１つの開口を含み、
−  前記光誘導サブシステムは、前記フレームのそれぞれの少なくとも１つの前記チューブ要素の内側から少なくとも１つの前記チューブ要素の外側への誘導を提供する、光システムを有する自転車。
【請求項２】
前記少なくとも１つの開口は、アレイまたは格子パターンの複数の開口を含む、請求項１に記載の光機能を有する自転車。
【請求項３】
前記光発生サブシステムは、独立して制御可能な複数の光源によってグラフィカルおよび／またはテキスト表示を生成するために配置され、好ましくは、マトリクスディスプレイまたはドットマトリクスディスプレイとして機能する、請求項１または２に記載の光機能を有する自転車。
【請求項４】
前記光発生サブシステムまたはその一部は、トップチューブにおけるその挿入のための自転車カセットなどの、それぞれのチューブ要素に配置可能な少なくとも１つのカセットに配置される、先行する請求項のうちの１つ以上に記載の光機能を有する自転車。
【請求項５】
前記光発生サブシステムの複数の光源はアレイまたは格子パターンで配置され、前記複数の光源は好ましくは、前記それぞれのチューブ要素の内面に向けられる、請求項４に記載の光機能を有する自転車。
【請求項６】
前記光誘導サブシステムは、好ましくはそれぞれの前記チューブ要素の開口に配置された、複数の光誘導要素および／またはレンズを含む、先行する請求項のうちの１つ以上に記載の光機能を有する自転車。
【請求項７】
前記開口および／または光誘導要素の少なくとも一部のカバーのためのカバー要素を含む、先行する請求項のうちの１つ以上に記載の光機能を有する自転車。
【請求項８】
前記光発生サブシステムは、前記開口を通る照射された前記光の通過のために、チューブ要素の内側または内面、もしくはその一部または一区分を照射するために配置される、先行する請求項のうちの１つ以上に記載の自転車。
【請求項９】
光効果は、連続照明、交互照明、ティッカー効果などのアニメーション、および、情報要素のうちの少なくとも１つを含み、前記情報要素は、たとえば、ロックおよびアンロックなどのための接触ロック機能、ホイールロック機能、ベル機能、ホーン機能、エンジンレベル、始動順序、コード入力順序のためのフィードバック、および、バッテリーのための充電機能、エラー機能、アラームのスイッチオン、アラームのスイッチオフ、そのように評価された人間による行為の場合のアラーム発生のためのものである、先行する請求項のうちの１つ以上に記載の光機能を有する自転車。
【請求項１０】
スピードメータなどの前記自転車の少なくとも１つのサブシステムの自転車情報の受信のために配置された制御ユニットを含み、前記制御ユニットは、前記光発生サブシステムまたは前記光制御装置のための入力情報に従って前記光発生システムによって光および／または光効果を発生させるために、前記入力情報を収集するように構成および／またはプログラムされる、先行する請求項のうちの１つ以上に記載の光機能を有する自転車。
【請求項１１】
駆動バッテリーの充電、自転車ロックの状態、接触ロック機能の状態、アラーム機能の状態、ボトムブラケットなどのタコメータの状態、および／または、電話回線網またはブルートゥースネットワークを介した接続などのネットワーク接続などの接続機能の状態のうちの少なくとも１つである、サブシステムに関するフィードバック情報のレンダリングのための構成手段またはプログラムコード手段を含む、先行する請求項のうちの１つ以上に記載の光機能を有する自転車。
【請求項１２】
少なくとも、トップチューブ、ボトムチューブ、安定チューブ、フランスデイ、リアアッパーステーまたはリアボトムステーなどのリアステー、および／または、ハンドルバーにおいて、光発生システムを含む、先行する請求項のうちの１つ以上に記載の光機能を有する自転車。
【請求項１３】
光機能は、アラーム機能、インジケータ機能、アニメーション機能、フロントライト機能、リアライト機能、ナビゲーション機能、および／または、通知機能を提供する、先行する請求項のうちの１つ以上に記載の光機能を有する自転車。
【請求項１４】
前記自転車カセットは、いくつかのタイプの自転車に配置するための主要部分を含み、好ましくは、前記それぞれのチューブ要素に配置された自転車コネクタのためのコネクタ接点との接続のためのカセット接点を含む、先行する請求項４〜１３のうちの１つ以上に記載の光機能を有する自転車。
【請求項１５】
前記自転車カセットは、リアライトまたはサドルピン用クランプなどの、前記自転車カセットへのさらなる機能性の提供のためのサブカセットと接続可能である、先行する請求項４〜１４のうちの１つ以上に記載の光機能を有する自転車。
【請求項１６】
前記光発生システムは、好ましくは前記光誘導サブシステムの対応するくさび形状のまたはテーパ付きの表面との企業のための、くさび形状のまたはテーパ付きの表面を含む、先行する請求項のうちの１つ以上に記載の光機能を有する自転車。
【請求項１７】
本質的に彼らはｍによって安全なこの年のジャンボウィンドウ上で女性が文書ドライバを出た後に減るすべての動かされたネイティブおよびアスリートであり、マールイヤー観察が最新のボンドシートであるとクラブが述べたことであるシーリングが、前記光発生サブシステムの位置で前記チューブ要素の外側に配置される、先行する請求項のうちの１つ以上に記載の光機能を有する自転車。
【請求項１８】
前記光誘導サブシステムとそれぞれのチューブ要素におけるそれぞれの開口との間の遊びの空間のシーリングのためのシーリング手段議論手段を含む、光機能を有する自転車。
【請求項１９】
光機能は、チューブ要素の表面に配置されたディスプレイとして機能する、先行する請求項のうちの１つ以上に記載の自転車。
【請求項２０】
好ましくは先行する請求項のうちの１つ以上に記載の光システムを有する自転車のための、チューブ要素におけるその配置のための自転車カセットであって、光の発生のための独立して制御可能な少なくとも１つの光源を含む光発生システムを、前記少なくとも１つの光源と前記自転車の周囲との間の前記経路の一部にわたる前記光の誘導のための光誘導サブシステムを有する企業などのために含む、自転車カセット。
【請求項２１】
少なくとも自転車サブシステムと接続した自転車制御ユニットと結合するのに好適である、少なくとも１つの光効果の提供のための前記光発生サブシステムの制御のための光制御装置を含む、請求項２０に記載の自転車カセット。
【請求項２２】
前記自転車のための制御ユニットを含む、請求項２０または２１に記載の自転車カセット。
【請求項２３】
前記光発生サブシステムは、好ましくは前記光誘導サブシステムの対応するくさび形状のまたはテーパ付きの表面との企業のための、くさび形状のまたはテーパ付きの表面を含む、請求項２０、２１または２２に記載の自転車カセット。
【請求項２４】
好ましくは請求項１〜１９のうちの１つ以上に記載の自転車に配置された、請求項１〜１９のうちの１つ以上に記載の１つ以上の特徴を含む、請求項２０〜２３のうちの１つ以上に記載の自転車カセット。
【発明の詳細な説明】
【技術分野】
【０００１】
本発明は、少なくとも１つの光効果の提供のための光システムを有する自転車に関する。さらに、本発明は、少なくとも１つの光効果の提供のための光発生サブシステムを有する自転車チューブにおけるその配置のための自転車チューブカセットに関する。さらに、本発明は、自転車からの光システムの提供のための方法に関する。
【背景技術】
【０００２】
照明を有する自転車は、一般に知られている。自転車には、フロントライトおよび／またはリアライトが、安全性のために長年にわたって設けられてきた。そのような照明は、自転車に取付けるために多くの形状およびサイズで存在する。
【発明の概要】
【課題を解決するための手段】
【０００３】
本発明者は、自転車での光に関する新しい機能性が望ましいという洞察に通じた洞察を得た。そのような新しい機能性を証明するために、本発明は、光システムを有する自転車であって、自転車は、
−  チューブ壁を有する相互に固定されたチューブ要素と、ステアリングピンおよびハンドルバーなどの可動チューブ要素とを有するフレームを含むチューブアセンブリと、
−  光の発生のための独立して制御可能な少なくとも１つの光源を含む光発生サブシステムと、
−  少なくとも１つの光効果の提供のための光発生サブシステムの制御のための光制御装置と、
−  少なくとも１つの光源と自転車の周囲との間の経路の一部にわたる光の誘導のための光誘導サブシステムとを含み、
−  少なくとも１つの光源は、少なくとも１つのチューブ要素のうちの少なくとも１つに配置され、自転車はさらに、
−  チューブ壁を通る光の通過のための少なくとも１つのチューブ要素における少なくとも１つの開口を含み、
−  光誘導サブシステムは、フレームのそれぞれの少なくとも１つのチューブ要素の内側から少なくとも１つのチューブ要素の外側への誘導を提供する、光システムを有する自転車を提供する。
【０００４】
有利には、本発明は、フレームに結合される性質を有する光機能を自転車に提供する。自転車のユーザまたは他の目撃者のために、高い注目値が、特定の機能性パーライト効果を用いて提供される。言い換えれば、有利な態様で、照明効果が自転車のフレームに提供される。有利には、照明効果は好ましくは、フレームに一体化されたスクリーンの効果が提供されるように進化している。このため、自転車の光機能により、自転車または自転車のサブシステムの機能に関するフィードバックを、それがフレームに結合されるやり方で自転車の著者に提供することができるということが有利に実現される。
【０００５】
さらに有利な態様で、照明機能は非常に頑丈であるということがここに実現される。自転車のチューブ要素における光発生システムの配置により、外部の影響によるその破損のリスクが強力に最小化される。さらに、光発生システムに供給されるエネルギーも同様に保護される。
【０００６】
第１の好ましい実施形態によれば、少なくとも１つの開口は、アレイまたは格子パターンの複数の開口を含み、好ましくは、曲面を有するフレームチューブにおける配置の場合には曲面において、２次元マトリクスを提供する。このため、有利な態様で、表示機能が実現される。情報は好ましくは、そのような表示機能によってユーザに伝達される。さらに、情報は、そのような表示機能によって、環境における他の人間に凝視される。
【０００７】
さらに好ましい実施形態によれば、光発生サブシステムは、独立して制御可能な複数の光源によってグラフィカルおよび／またはテキスト表示を生成するために配置され、好ましくは、マトリクスディスプレイまたはドットマトリクスディスプレイとして機能する。この発明またはその好ましい実施形態によれば、そのような表示機能は、非常に頑丈で独特の態様で、自転車、フレーム、またはそのチューブ要素に実現され得る。外部ディスプレイの公知の脆弱性のリスクなく、比較的大きいディスプレイが実現され得る。そのようなサイズを有する自転車への外部ディスプレイは脆弱であろう。特に、その横向きのサービスは、その使用中、環境における物体にぶつかるであろう。この利点は明らかに、実質的にすべての説明される好ましい実施形態について存在する。
【０００８】
さらに好ましい実施形態によれば、光発生サブシステムまたはその一部は、トップチューブにおけるその挿入のための自転車カセットなどの、それぞれのチューブ要素に配置可能な少なくとも１つのカセットに配置される。そのようなカセットの適用により、本発明に従った光機能性を含む自転車の製造は、有利な態様で実行される。さらに、その後のカセットの取り外しによって、保守または交換が有利な態様で実行され得る。修理後、カセットは、単純な態様で交換され得る。
【０００９】
さらに好ましい実施形態によれば、光発生サブシステムの複数の光源はアレイまたは格子パターンで配置され、複数の光源は好ましくは、それぞれのチューブ要素の内面に向けられる。このため、代替的な態様で、いくつかの行を有する表示機能が有利に実現される。
【００１０】
さらに好ましい実施形態によれば、光誘導サブシステムは、好ましくはそれぞれのチューブ要素の開口に配置された、複数の光誘導要素および／またはレンズを含む。このため、光は、光学的に予め定められた態様でチューブ要素における開口を通され得る。このため、光の知覚の信頼性を予め定めることができ、光機能がユーザまたは見物人によって知覚される態様が有利に定まる。
【００１１】
カバーまたは物理的保護のために、さらに好ましくは、開口および／または光誘導要素の少なくとも一部のカバーのためのカバー要素が提供される。
【００１２】
これに代えて、光発生サブシステムは、開口を通る照射された光の通過のために、チューブ要素の内側または内面、もしくはその一部または一区分を照射するために配置される、ということが提供される。このため、すべての照射された開口によって、光効果が有利に実現される。そのような好ましい実施形態はたとえば、フロントステー、ステー、またはハンドルバーなどにおけるインジケータ機能にとって有利である。
【００１３】
さらに好ましい実施形態によれば、光機能は好ましくは、連続照明、交互照明、ティッカー効果などのアニメーション、および、情報要素のうちの少なくとも１つを含む光効果を含み、情報要素は、たとえば、ロックおよびアンロックなどのための接触ロック機能、ホイールロック機能、ベル機能、ホーン機能、エンジンレベル、始動順序、コード入力順序のためのフィードバック、および、バッテリーのための充電機能、エラー機能、アラームのスイッチオン、アラームのスイッチオフ、そのように評価された人間による行為の場合のアラーム発生のためのものである。このため、有利な光効果の配置が各々、目撃者にとって実用的な注目値とともに提供される。
【００１４】
さらに好ましい実施形態によれば、自転車は、スピードメータなどの自転車の少なくとも１つのサブシステムの自転車情報の受信のために配置された制御ユニットを含み、制御ユニットは、光発生サブシステムまたは光制御装置のための入力情報に従って光発生システムによって光および／または光効果を発生させるために、入力情報を収集するように構成および／またはプログラムされる。このため、少なくともそのようなサブシステムから来る情報に反応してグラフィカルおよびテキスト情報を生成するために、光効果が自転車に提供される。その表示のための情報のさらなる例は、この説明の他の部分で示される。
【００１５】
さらに好ましくは、自転車は、駆動バッテリーの充電、自転車ロックの状態、接触ロック機能の状態、アラーム機能の状態、ボトムブラケットなどのタコメータの状態、および／または、電話回線網またはブルートゥース（登録商標）ネットワークを介した接続などのネットワーク接続などの接続機能の状態のうちの少なくとも１つである、サブシステムに関するフィードバック情報のレンダリングのための構成手段またはプログラムコード手段を含む。
【００１６】
光機能のさらなる効果のために、さらに好ましい実施形態は、少なくとも、トップチューブ、ボトムチューブ、安定チューブ、フランスデイ（France day）、リアアッパーステーまたはリアボトムステーなどのリアステー、および／または、ハンドルバーにおいて、光発生システムを提供する。さらに好ましくは、光機能は、アラーム機能、インジケータ機能、アニメーション機能、フロントライト機能、リアライト機能、ナビゲーション機能、および／または、通知機能を提供する。
【００１７】
さまざまな長さを有するチューブ要素における自転車カセットの柔軟な適用のために、自転車カセットは、さらに好ましくは、いくつかのタイプの自転車に配置するための主要部分を含み、好ましくは、好ましくは、それぞれのチューブ要素に配置された自転車コネクタのためのコネクタ接点との接続のためのカセット接点を含む。たとえば、カセットを内部に適用するためのチューブ要素の追加の長さのために、カセットは、さらに好ましくは、リアライトまたはサドルピン用クランプなどの、自転車カセットへのさらなる機能性の提供のためのサブカセットと接続可能である。このため、たとえば自転車のための月光発生サブシステムおよび／または制御ユニットが配置された主要部分が、たとえば異なるタイプの自転車のいくつかのチューブ要素において適用可能である、ということが有利に実現される。このため、形成される自転車カセットの前方部分は、主要部分によって形成される。
【００１８】
さらに好ましい実施形態によれば、光発生システムは、好ましくは光誘導サブシステムの対応するくさび形状のまたはテーパ付きの表面との企業のための、くさび形状のまたはテーパ付きの表面を含む。このため、光発生サブシステムと光誘導サブシステムとは、間の空間が最小限の状態で、または実質的に直接接触する状態で、互いに対抗して配置される、ということが有利に達成される。これは、光機能の光効果の品質にとって有利である。
【００１９】
光誘導システムおよび／またはチューブ要素の外側のカバーのために、シーリングファイルが好ましくは、光発生サブシステムの位置でチューブ要素の外側に配置される。このため、光機能およびしたがってそれぞれのサブ部品の保護が実現される。
【００２０】
光誘導サブシステムとそれぞれのチューブ要素におけるそれぞれの開口との間の遊びの空間のシーリングのために、好ましくは、キットまたはのり手段などのシーリング手段が提供される。
【００２１】
さらに好ましくは、光機能は、チューブ要素の表面に配置されたディスプレイとして機能する。
【００２２】
本発明に従ったさらなる局面は、好ましくは先行する請求項のうちの１つ以上に記載の光システムを有する自転車のための、チューブ要素におけるその配置のための自転車カセットであって、光の発生のための独立して制御可能な少なくとも１つの光源を含む光発生システムを、少なくとも１つの光源と自転車の周囲との間の経路の一部にわたる光の誘導のための光誘導サブシステムを有する企業などのために含む、自転車カセットに関する。そのような自転車カセットは、本発明に従った前述の局面に関して説明されたような利点を提供する。
【００２３】
さらに好ましくは、そのような自転車カセットは、少なくとも自転車サブシステムと接続した自転車制御ユニットと結合するのに好適である、少なくとも１つの光効果の提供のための光発生サブシステムの制御のための光制御装置を含む。さらに好ましくは、そのような自転車カセットは、自転車のための制御ユニットを含む。
【００２４】
さらに好ましくは、そのような自転車カセットは、好ましくは光誘導サブシステムの対応するくさび形状のまたはテーパ付きの表面との企業のための、くさび形状のまたはテーパ付きの表面を含む光発生サブシステムを含む。さらに好ましくは、そのような自転車カセットは、好ましくは本発明に従った自転車に配置された、請求項１〜１９のうちの１つ以上に記載の１つ以上の特徴を含む。
【００２５】
本発明のさらなる利点、特徴、および詳細を、添付図面を参照した１つ以上の好ましい実施形態の説明に基づいてさらに明らかにする。異なる好ましい実施形態の類似しているものの必ずしも同一ではない部分は、同じ参照番号で示されてもよい。
【図面の簡単な説明】
【００２６】
【図１】本発明に従った第１の好ましい実施形態の斜視図での表現に関する図である。
【図２】好ましい実施形態の斜視図での分解表現に関する図である。
【図３】図２に従った好ましい実施形態の斜視図での分解表現に関する図である。
【図４】好ましい実施形態の概略表現の側面図に関する図である。
【図５】さらに好ましい実施形態の斜視図での表現に関する図である。
【図６】さらに好ましい実施形態の図に関する図である。
【発明を実施するための形態】
【００２７】
本発明に従った第１の好ましい実施形態（図１）は、光機能１を有する自転車に関する。それは、トップチューブ２におけるマトリクスディスプレイ３を含む。マトリクスディスプレイは、トップチューブの開口４によって作成される。
【００２８】
トップチューブにおけるその配置のためのカセット１１は、複数の構成部品１３〜１６を含むディスプレイモジュール１２を有する。ディスプレイモジュール１２は、ボトムハウジング１３とトップハウジング１６とを含む。それらの間には、ＬＥＤモジュール１５のＬＥＤの制御のための制御ユニット１４と、その上方に配置され、好ましくは柔軟に具現化され、さらに好ましくは柔軟なＰＣＢ上に一体化されたＬＥＤモジュール１５とがある。
【００２９】
ＬＥＤモジュール１５のＬＥＤ２４は、ディスプレイ３の提供のために、トップチューブの開口に対応する。ディスプレイは、複数のグラフィカル効果および／または光効果の提供のために、この場合、たとえば１６９個のＬＥＤ２４の格子によって形成される。ＬＥＤの数は、情報のグラフィカル表現またはテキスト表現をユーザに向かって提供するのに十分である。グラフィカルおよびテキスト表現は制御ユニットによって生成され、制御ユニットもカセットに配置され、自転車のサブシステムと通信している。そのようなサブシステムは、自転車ロック、自転車モータ、レフカウンタ、ベルボタン、または接触ロック機能を含む。これらのサブシステムからの情報に基づいて、制御ユニットはディスプレイ情報を、ディスプレイ上でのその表示のために収集する。
【００３０】
光誘導ユニット１７はベース１９を含み、ベース１９は、そこから延在する光誘導部材またはレンズ２６を有し、光誘導部材またはレンズ２６は、ＬＥＤモジュール１５の各ＬＥＤに対応する。各光誘導部材またはレンズ２６は、トップチューブの外側へのＬＥＤの光の誘導のために、および、それによってこの光を見えるようにするために、トップチューブにおけるそれぞれの開口を通って延在する。
【００３１】
チューブの内側には、トップチューブの貫通開口４の防水シーリングのために、ある量のキットまたはのりが配置される。カセットは、横からトップチューブ内へ矢印ａの方向に挿入される。ＬＥＤと光誘導要素との間の良好な接触のために、光誘導ユニット１７の底側とハウジング１６の上側とは、協働サービス２８によってテーパが付けられている。
【００３２】
本発明に従った光機能および／または表示機能の代替的な配置は、ハンドルバー４６（図１）におけるそのような機能に関する。さらに、そのようなディスプレイおよび／または照明は、フロントステート４４、リアルエステート４１、リアボトムステート４６、安定化チューブ４５、およびボトムチューブ４３において考えられる。これは、図１〜５に従ったディスプレイ、および、それぞれのチューブを通る開口を通る貫通照明を用いたチューブの内側からのより一般的な照明の双方として考えられる。
【００３３】
本発明に従ったさらなる局面は、自転車ディスプレイを有する自転車であって、自転車は、
−  チューブ壁を有する相互に固定されたチューブ要素と、ステアリングピンおよびハンドルバーなどの可動チューブ要素とを有するフレームを含むチューブアセンブリと、
−  光の発生のための、格子パターンに配置され、独立して制御可能な複数の光源を含む光発生サブシステムと、
−  少なくとも１つの光効果の提供のための光発生サブシステムの制御のための光制御装置と、
−  少なくとも１つの光源と自転車の周囲との間の経路の一部にわたる光の誘導のための光誘導サブシステムとを含み、
−  少なくとも１つの光源は、少なくとも１つのチューブ要素のうちの少なくとも１つに配置され、自転車はさらに、
−  チューブ壁を通る光の通過のための少なくとも１つのチューブ要素における少なくとも１つの開口を含み、
−  光誘導サブシステムは、格子パターン内での光源によるグラフィカルおよび／またはテキスト表示の実現のために、フレームのそれぞれの少なくとも１つのチューブ要素の内側から少なくとも１つのチューブ要素の外側への誘導を提供する、自転車ディスプレイを有する自転車に関する。
【００３４】
本発明を、好ましい実施形態に基づいて上述した。異なる実施形態の異なる局面は明らかに、互いとの組合せにおいて、および、この文書に基づいて当該技術分野の当業者が読めば、この発明の範囲に該当するかまたはこの文書の開示で読まれると考えられるすべての組合せにおいて開示されると考えられる。これらの好ましい実施形態は、この文書の保護の範囲について限定的ではない。求められる権利は、添付された請求項で定義される。
【図１】
2021522098.tif 000003
【図２】
2021522098.tif 000004
【図３】
2021522098.tif 000005
【図４】
2021522098.tif 000006
【図５】
2021522098.tif 000007
【図６】
2021522098.tif 000008
【国際調査報告】
2021522098.tif 000009
2021522098.tif 000010
2021522098.tif 000011